(57)【要約】【課題】くし歯駆動対応のコモンドライバを複数段カスケード接続して使用する際に、２段目以降のコモンドライバも正常に動作させることができ、電力消費も低減できる液晶駆動用ドライバを提供すること。【解決手段】複数のくし歯駆動対応のコモンドライバＹ10，Ｙ20をカスケード接続して構成される液晶駆動用ドライバであって、初段以降（最終段を除く）の各段のくし歯駆動対応のコモンドライバについて、ドライバ駆動用の基本となる第１のクロック（外部YSCL）を２分周した間引き駆動用の第２のクロック（内部XINH）を用いて、各段のコモンドライバについてその出力データの時間幅が入力データの時間幅に対して２倍になった状態で次段のコモンドライバに受け渡されることなく、各段のくし歯駆動対応のコモンドライバにおける入力データの時間幅に対する出力データの時間幅を同じ幅に戻す手段を設けたものである。【選択図】    図１
2004198927.tif 000002
【特許請求の範囲】
【請求項１】
くし歯駆動対応のコモンドライバを複数段カスケード接続して構成される液晶駆動用ドライバであって、
初段以降（最終段を除く）の各段のくし歯駆動対応のコモンドライバについて、ドライバ駆動用の基本となる第１のクロックを２分周した間引き駆動用の第２のクロックを用いて、各段のくし歯駆動対応の前記コモンドライバにおける、入力データの時間幅に対する出力データの時間幅を同じ幅に戻す手段を具備したことを特徴とする液晶駆動用ドライバ。
【請求項２】
くし歯駆動対応のコモンドライバを複数段カスケード接続して構成される液晶駆動用ドライバであって、
初段以降（最終段を除く）の各段のくし歯駆動対応のコモンドライバについて、外部より入力されるドライバ駆動用の基本となる第１のクロックを２分周して間引き駆動用の第２のクロックを生成する手段と、
各段のくし歯駆動対応の前記コモンドライバの入出力データについて、前記第２のクロックを用いて、前記第１のクロックの１周期分に相当する入力データに対して出力される２周期分の出力データを１周期分に戻す変換手段と、
を具備したことを特徴とする液晶駆動用ドライバ。
【請求項３】
前記変換手段は、間引き駆動用の前記第２のクロックと、各段のくし歯駆動対応の前記コモンドライバの２周期分の前記出力データとを入力し、これら２つの入力で論理演算を行う回路で構成されることを特徴とする請求項１又は２に記載の液晶駆動用ドライバ。
【発明の詳細な説明】
【０００１】
【発明の属する技術分野】
本発明は、液晶駆動用ドライバに関し、特に、くし歯駆動対応のコモンドライバを複数段カスケード接続して使用する際の液晶駆動用ドライバに関する。
【０００２】
【背景技術】
近年、携帯電話などのモバイル機器が普及している。このようなモバイル機器、特に携帯電話に使われる液晶パネル（以下、ＬＣＤパネルという）としては、単純マトリックス方式やアクティブマトリックス方式のものなどがある。単純マトリックス方式は画面の縦横に配置された電極によって画素を点灯させる方式であり、アクティブマトリックス方式は画素となる１つひとつの素子をオン／オフさせる方式である。
【０００３】
さらに、アクティブマトリックス方式には、各画素にトランジスタを搭載したＴＦＴ（Thin Film Transistorの略、薄膜トランジスタ）方式、各画素にダイオードを搭載したＴＦＤ（Thin Film Diodeの略、薄膜ダイオード）方式などがある。ＴＦＤ方式は、低消費電力でありながらＴＦＴ方式と同様なコントラスト及び色数が得られ、動画や自然な色を再現できるので、今後携帯電話などで広く使われると予想される。
【０００４】
ところで、上記のようなＬＣＤパネルをモバイル機器に実装する場合、特に携帯電話などの場合、筐体の外形寸法特に横幅は予め殆んど決まってしまうので、筐体内にＬＣＤパネルのほかに、ＬＣＤパネルのセグメント電極に接続するセグメントドライバ（Ｘドライバとも呼ばれる。以下、ＳＥＧドライバと記す）及びコモン電極に接続するコモンドライバ（Ｙドライバとも呼ばれる。以下、ＣＯＭドライバと記す）を配置する場合、ＬＣＤパネルに対してＳＥＧドライバをＬＣＤパネルの下側に、ＣＯＭドライバをＬＣＤパネルの左側又は右側に配置すると、ＬＣＤパネルの表示面が筐体面上の中心から左側又は右側に片寄って配置されてしまう。
【０００５】
そこで、ＬＣＤパネルの左側又は右側に配置されたＣＯＭドライバを２つ分けてＬＣＤパネルの下側のＳＥＧドライバの両側（即ちＳＥＧドライバの左側と右側）に並ベて配置することが行われている。これによってＬＣＤパネルの下部側にのみＳＥＧ及びＣＯＭの液晶駆動用ドライバが配置され、ＬＣＤパネルの他の３辺はフリーな構造となる。これによってＬＣＤパネルを筐体面上に片寄ることなく配置できる。
【０００６】
一方、上記のようにＣＯＭドライバを２つに分けた場合のＬＣＤパネル駆動方法としては、図１０に示すように第１，第２の２つのＣＯＭドライバＹ1，Ｙ2をカスケード接続して、ＳＥＧドライバＸから第１のＣＯＭドライバＹ1に入力データを与えることによって第１，第２のＣＯＭドライバＹ1，Ｙ2内のそれぞれのシフトレジスタ回路を順次にドライブしてＬＣＤパネルを上から下へ１ラインずつ駆動する方法と、図１１に示すように左右交互にくし状に走査を行うくし歯駆動と呼ばれる駆動方法とがある。
【０００７】
このくし歯駆動方法は、第１，第２のＣＯＭドライバＹ1，Ｙ2にて、ＬＣＤパネル上を交互にくし状にライン走査を行う方法であり、第１，第２のＣＯＭドライバＹ1，Ｙ2にはＳＥＧドライバＸより同じ入力データが同時に与えられるが、さらに第１のＣＯＭドライバＹ1の方が先の走査で第２のＣＯＭドライバＹ2の方が後の走査であるという情報を与えることによって、図１１のように各ＣＯＭドライバＹ1，Ｙ2が交互に走査ラインを駆動してライン１→２→３→４…の順に上から下へ走査を行うものである。
【０００８】
ところで、本来、ＬＣＤパネルをくし歯駆動するためのくし歯駆動対応のＣＯＭドライバＹ1，Ｙ2を、図１２のように当該ＣＯＭドライバＹ1，Ｙ2をカスケード接続して連続駆動したい場合がある。このようにすることによって、くし歯駆動対応のＣＯＭドライバＹ1，Ｙ2をカスケード駆動に使用でき、ドライバＩＣとしての汎用性を広げることができる。
【０００９】
【特許文献１】
特開2002-040979号公報
【００１０】
【発明が解決しようとする課題】
しかしながら、くし歯駆動対応のＣＯＭドライバを複数段カスケード接続して連続駆動する場合には、次のような問題点が生ずる。これについて図１３乃至図１５を参照して説明する。
【００１１】
図１３は、くし歯駆動対応のＣＯＭドライバＹ1，Ｙ2をカスケード接続した状態を示している。図１４は初段のＣＯＭドライバＹ1の入出力データ，クロック信号及びシフトレジスタ出力Ｏ1〜Ｏ60を示し、図１５は２段目のＣＯＭドライバＹ2の入出力データ，クロック信号及びシフトレジスタ出力Ｏ1’〜Ｏ60’を示している。ただし、初段のＣＯＭドライバＹ1からの外部DYO▲１▼はそのまま後段のＣＯＭドライバＹ2の入力データDYI▲２▼となり、図１４の外部DYO▲１▼のタイミングと、図１５の入力データDYI▲２▼のタイミングは時間的には一致しており、図１４と図１５とは本来１枚の図として時系列的に描くべきものであるが、紙面の都合で別図としてある。なお、各段のＣＯＭドライバＹ1，Ｙ2はそれぞれ、６０個のフリップフロップを有したシフトレジスタ回路を内蔵しており、各ドライバのコモンラインの出力数が６０個ある場合を例として示している。
【００１２】
各段のくし歯駆動対応のＣＯＭドライバにおいては、外部より入力されるドライバ駆動用の基本となるクロック（以下、外部YSCLという）を２分周して間引き駆動用のクロック（以下、内部XINHという）を生成し、この内部XINHを用いて外部YSCLを１周期分間引いたクロック（内部YSCLと呼ぶ）を生成してくし歯駆動を行っている。
【００１３】
図１３及び図１４に示す初段のＣＯＭドライバＹ1において、DYI▲１▼は図示しないＳＥＧドライバからの入力データ（ドライバＹ1のスタートのきっかけを与えるデータであり、外部YSCLの１周期分に相当する）を示し、DYO▲１▼はＣＯＭドライバＹ1の出力データ（１サイクルのシフトレジスタ動作が終了したことを示すデータ）である。この初段のＣＯＭドライバＹ1の出力データDYO▲１▼は、次段のＣＯＭドライバＹ2の入力データDYI▲２▼となって、ＣＯＭドライバＹ2に供給される。
【００１４】
初段のくし歯駆動対応のＣＯＭドライバＹ1の内蔵シフトレジスタ回路における６０個のフリップフロップからは、外部YSCLの１周期分に相当する入力データDYI▲１▼に基づき、外部YSCLの２周期分に相当する出力Ｏ1〜Ｏ60が各コモンライン（No.1〜60）の走査用データとして出力され、かつ出力データDYO▲１▼も外部YSCLの２周期分出力される。
【００１５】
そして、図１３及び図１５に示すように、この初段ＣＯＭドライバＹ1からの、外部YSCLの２周期分に相当する出力データDYO▲１▼がそのまま次段のくし歯駆動対応のＣＯＭドライバＹ2の入力データDYI▲２▼となって、ＣＯＭドライバＹ2に入力される。その結果、次段のくし歯駆動対応のＣＯＭドライバＹ2の内蔵シフトレジスタ回路における６０個のフリップフロップからは、外部YSCLの２周期分の入力データDYI▲２▼に基づき、外部YSCLの４周期分に相当する出力Ｏ1’〜Ｏ60’が各コモンライン（No.61〜120）の走査用データとして出力され、かつ出力データDYO▲２▼も外部YSCLの４周期分出力される。
【００１６】
上記のようにくし歯駆動対応のＣＯＭドライバを複数段カスケード接続して使用しようとすると、初段のくし歯駆動対応のＣＯＭドライバＹ1の出力データDYO▲１▼が外部YSCL（外部から供給されるドライバ駆動用基本クロック）の２周期分出力されてしまうため、カスケード接続された次段のくし歯駆動対応のＣＯＭドライバＹ2が意図した動作が出来なくなってしまうという問題があった。
【００１７】
即ち、くし歯駆動対応のＣＯＭドライバＹ1，Ｙ2をカスケード接続し、図１２のように走査を行う時に、ＬＣＤ画面の上半分については図１１のくし歯駆動と同じで、内蔵フリップフロップから２周期分の走査データが出力されるために、従来通りに１ライン飛びで走査していくことになるが、画面の下半分については内蔵フリップフロップから４周期分の走査データが出力されるために、１ライン飛びで２ラインずつ同時に走査され、即ち、２ライン同時にアクティブ状態とされるので、ドライバＩＣとしての消費電力は倍になる問題があった。
【００１８】
そこで、本発明は、上記の問題に鑑みてなされたもので、くし歯駆動対応のＣＯＭドライバを複数段カスケード接続して使用する際に、２段目以降のＣＯＭドライバも正常に動作させることができ、電力消費も低減できる液晶駆動用ドライバを提供することを目的とする。
【００１９】
【課題を解決するための手段】
本発明による液晶駆動用ドライバは、くし歯駆動対応のＣＯＭドライバを複数段カスケード接続して構成される液晶駆動用ドライバであって、初段以降（最終段を除く）の各段のくし歯駆動対応のＣＯＭドライバについて、ドライバ駆動用の基本となる第１のクロックを２分周した間引き駆動用の第２のクロックを用いて、各段のくし歯駆動対応の前記ＣＯＭドライバにおける、入力データの時間幅に対する出力データの時間幅を同じ幅に戻す手段を具備したものである。
【００２０】
本発明のこのような構成によれば、くし歯駆動対応のＣＯＭドライバを複数段カスケード接続して使用する際に、各段のＣＯＭドライバについてその出力データの時間幅が入力データの時間幅に対して２倍になった状態で次段のＣＯＭドライバに受け渡されることがなく、２段目以降のＣＯＭドライバも正常に動作させることができる。従って、電力消費も低減できる。
【００２１】
また、本発明による液晶駆動用ドライバは、くし歯駆動対応のＣＯＭドライバを複数段カスケード接続して構成される液晶駆動用ドライバであって、初段以降（最終段を除く）の各段のくし歯駆動対応のＣＯＭドライバについて、外部より入力されるドライバ駆動用の基本となる第１のクロックを２分周して間引き駆動用の第２のクロックを生成する手段と、各段のくし歯駆動対応の前記ＣＯＭドライバの入出力データについて、前記第２のクロックを用いて、前記第１のクロックの１周期分に相当する入力データに対して出力される２周期分の出力データを１周期分に戻す変換手段と、を具備したものである。
【００２２】
本発明のこのような構成によれば、くし歯駆動対応のＣＯＭドライバを複数段カスケード接続して使用する際に、各段のＣＯＭドライバについてその出力データの時間幅が入力データの時間幅に対して２倍になった状態で次段のＣＯＭドライバに受け渡されることがなく、２段目以降のＣＯＭドライバも正常に動作させることができる。電力消費も低減できる。
【００２３】
さらに、本発明において、前記変換手段は、間引き駆動用の前記第２のクロックと、各段のくし歯駆動対応の前記ＣＯＭドライバの２周期分の前記出力データとを入力し、これら２つの入力で論理演算を行う回路で構成されることが好ましい。
【００２４】
このような構成によれば、くし歯駆動対応のＣＯＭドライバを複数段カスケード接続して構成する場合、初段以降のくし歯駆動対応ＣＯＭドライバに簡単な変換回路、例えば２つのインバータと１つのナンドゲート回路を付加してやるだけで、従来は初段のくし歯駆動対応ＣＯＭドライバの出力データとして基本クロックの２周期分出力されていたものを１周期分に戻してやることができ、２段以降のＣＯＭドライバを正常動作させることができる。
【００２５】
【発明の実施の形態】
発明の実施の形態について図面を参照して説明する。
【００２６】
図１は本発明の一実施の形態の液晶駆動用ドライバを示すブロック図である。
【００２７】
図１に示す液晶駆動用ドライバは、複数（図では２つ）のくし歯駆動対応のＣＯＭドライバＹ10，Ｙ20を、図１０或いは図１２で示した如くカスケード接続して使用する場合の構成例を示している。
【００２８】
くし歯駆動対応のＣＯＭドライバＹ10，Ｙ20のそれぞれは、所定数（図では６０個）のフリップフロップを有したシフトレジスタ回路（図示せず）を内蔵している。即ち、初段のくし歯駆動対応のＣＯＭドライバＹ10は６０個のシフトレジスタ出力Ｏ1〜Ｏ60を有し、次段のくし歯駆動対応のＣＯＭドライバＹ120は６０個のシフトレジスタ出力Ｏ1’〜Ｏ60’を有している。
【００２９】
また、くし歯駆動対応のＣＯＭドライバＹ10，Ｙ20のそれぞれは、外部よりドライバ駆動用の基本となる第１のクロックである外部YSCLを入力し、この外部YSCLを２分周して間引き駆動用の第２のクロックである内部XINHを生成する分周回路１を内蔵している。
【００３０】
さらに、初段のくし歯駆動対応のＣＯＭドライバＹ10には、第２のクロックである内部XINHを用いて、前記外部YSCLの１周期分に相当する入力データに対して出力される２周期分の出力データを１周期分に戻す変換回路２が設けられている。
【００３１】
即ち、くし歯駆動対応のＣＯＭドライバを２段以上カスケード接続して使用する際に、初段以降（最終段を除く）の各段のＣＯＭドライバについてその出力データの時間幅が入力データの時間幅に対して２倍になった状態で次段のＣＯＭドライバに受け渡されることのないように構成している。
【００３２】
図２は、上記変換回路２の構成例を示すものである。
【００３３】
変換回路２は、間引き駆動用の第２のクロックである内部XINHをインバータ３を通して反転した信号と、くし歯駆動対応のＣＯＭドライバＹ10の出力データ（出力直前の出力データで以下、内部DYO▲１▼という）をインバータ４を通して反転した信号とを、２入力のナンドゲート回路５に入力して論理演算を行うことで、２周期分出力されていた出力データ（内部DYO▲１▼）を１周期分の出力データ（この変換されて１周期分となった出力データを、以下、外部DYO▲１▼という）に変換する。
【００３４】
このような構成によれば、簡単な回路、例えば２つのインバータと１つのナンドゲート回路を付加してやるだけで、初段のＣＯＭドライバＹ10の出力データとして２周期分出力されていたものを１周期分に戻してやることができ、初段以降のＣＯＭドライバにも同様の回路を付加するだけで、正常動作させることが可能となる。
【００３５】
図３は図１における初段のくし歯駆動対応のＣＯＭドライバＹ10の各種信号のタイミングチャートを示し、図４は次段のくし歯駆動対応のＣＯＭドライバＹ10の各種信号のタイミングチャートを示している。ただし、初段のＣＯＭドライバＹ10からの外部DYO▲１▼はそのまま後段のＣＯＭドライバＹ20の入力データDYI▲２▼となるので、図３の外部DYO▲１▼のタイミングと、図４の入力データDYI▲２▼のタイミングとは時間的には一致しており、図３と図４とは本来１枚の図として時系列的に描くべきものであるが、紙面の都合で別図としている。
【００３６】
図３には、第１のクロックである外部YSCLと、外部YSCLを２分周して生成される第２のクロックである内部XINHと、外部YSCLと内部XINHのアンド（論理積）をとることによって、外部YSCLのクロックを１つ置きに間引いた形に生成される内部YSCLと、図示しないＳＥＧドライバから初段のＣＯＭドライバＹ10に入力されて、ドライバＹ10動作のスタートのきっかけを与える入力データDYI▲１▼と、初段のＣＯＭドライバＹ10からくし歯駆動されて順次に出力されるシフトレジスタ出力Ｏ1，Ｏ2，…Ｏ59，Ｏ60と、初段のＣＯＭドライバＹ10からくし歯駆動されて出力される、２周期分の出力データである内部DYO▲１▼と、この内部DYO▲１▼の２周期分のデータを、内部XINHを用いて入力データDYI▲１▼と同様に１周期分のデータに戻した出力データである外部DYO▲１▼と、のタイミング関係が示されている。なお、入力データDYI▲１▼と、シフトレジスタ出力Ｏ1，Ｏ2，…Ｏ59，Ｏ60と、内部DYO▲１▼と、外部DYO▲１▼とは、ローアクティブの信号である。
【００３７】
図４には、第１のクロックである外部YSCLと、外部YSCLと内部XINHのアンド（論理積分）をとることによって、外部YSCLのクロックを１つ置きに間引いた形に生成される内部YSCLと、初段のＣＯＭドライバＹ10から入力されて、ドライバＹ20動作のスタートのきっかけを与える入力データDYI▲２▼と、後段のＣＯＭドライバＹ20からくし歯駆動されて順次に出力されるシフトレジスタ出力Ｏ1’，Ｏ2’，…Ｏ59’，Ｏ60’と、２周期分の出力データであるDYO▲２▼と、後段のＣＯＭドライバＹ20からくし歯駆動されて出力される、２周期分の出力データであるDYO▲２▼と、のタイミング関係が示されている。なお、入力データDYI▲２▼と、シフトレジスタ出力Ｏ1’，Ｏ2’，…Ｏ59’，Ｏ60’と、出力データDYO▲２▼とは、ローアクティブの信号である。
【００３８】
図３と図４から分るように、くし歯駆動対応のＣＯＭドライバを２段以上カスケード接続して使用する際に、初段のくし歯駆動対応のＣＯＭドライバＹ10からはその出力データとして１周期分の外部DYO▲１▼が出力され、この１周期分の外部DYO▲１▼は次段のくし歯駆動対応のＣＯＭドライバＹ20に入力データDYI▲２▼としてそのまま受け渡されるので、カスケード接続された２つ目のドライバＹ20も正常に動作させることができる。
【００３９】
図５は本発明の他の実施の形態の液晶駆動用ドライバを示すブロック図である。
【００４０】
図５に示す液晶駆動用ドライバは、３個のくし歯駆動対応のＣＯＭドライバをカスケード接続して使用する場合の構成例を示している。図１と同一部分には同一符号を付して説明する。
【００４１】
図５で、符号DYI▲１▼，DYI ▲２▼，DYI ▲３▼はそれぞれ、初段，２段目，最終段のくし歯駆動対応のＣＯＭドライバＹ10，Ｙ20’，Ｙ30の入力データであり、内部DYO▲１▼，内部DYO▲２▼はそれぞれ、初段，２段目のくし歯駆動対応のＣＯＭドライバＹ10，Ｙ20’における変換回路２を通す前の従来通り２周期分で出力される出力データであり、外部DYO▲１▼，外部DYO▲２▼はそれぞれ、初段，２段目のくし歯駆動対応のＣＯＭドライバＹ10，Ｙ20’における変換回路２を通して１周期分に変換された出力データである。外部DYO▲３▼は最終段のくし歯駆動対応のＣＯＭドライバＹ30から出力される２周期分の出力データである。
【００４２】
初段，２段目，最終段のくし歯駆動対応のＣＯＭドライバＹ10，Ｙ20’，Ｙ30のそれぞれは、所定数（図では６０個）のフリップフロップを有したシフトレジスタ回路（図示せず）を内蔵している。即ち、初段，２段目，最終段のくし歯駆動対応のＣＯＭドライバＹ10，Ｙ20’，Ｙ30ともそれぞれ、６０個のシフトレジスタ出力Ｏ1〜Ｏ60，６０個のシフトレジスタ出力Ｏ1’〜Ｏ60’，６０個のシフトレジスタ出力Ｏ1″〜Ｏ60″を有している。
【００４３】
また、くし歯駆動対応のＣＯＭドライバＹ10，Ｙ20’，Ｙ30のそれぞれは、外部よりドライバ駆動用の基本となる第１のクロックである外部YSCLを入力し、この外部YSCLを２分周して間引き駆動用の第２のクロックである内部XINHを生成する分周回路１を内蔵している。
【００４４】
そして、初段，２段目のくし歯駆動対応のＣＯＭドライバＹ10，Ｙ20’には、第２のクロックである内部XINHを用いて、前記外部YSCLの１周期分の入力データに対して出力される２周期分の出力データを１周期分に戻す変換回路２が設けられている。
【００４５】
即ち、くし歯駆動対応のＣＯＭドライバを２段以上カスケード接続して使用する際に、初段以降（最終段を除く）の各段のＣＯＭドライバについてその出力データの時間幅が入力データの時間幅に対して２倍になった状態で次段のＣＯＭドライバに受け渡されることのないように構成している。従って、図１の２段構成、図５の３段構成に限らず、くし歯駆動対応のＣＯＭドライバを複数段（換言すれば、Ｎ段、Ｎは正の整数）カスケード接続して使用する際に同様に応用することができる。ただし、最終段であるＮ段目には、変換回路２を特に設ける必要はない。なお、最終段にも変換回路２を備えたＣＯＭドライバを使用することで、同種類のＣＯＭドライバのみを使用できる利点がある。
【００４６】
図６は本発明に係る液晶駆動用ドライバを示すブロック図である。
【００４７】
本実施の形態は、ＣＯＭドライバの駆動方法を、左右交互にくし状に走査を行うくし歯駆動と、連続して駆動する連続駆動とで選択できるようにしたものである。或いは、左右交互にくし状に走査を行うくし歯駆動対応のＣＯＭドライバを、連続して駆動する連続駆動に切り換えることができるようにしたものである。
【００４８】
図６に示す液晶駆動用ドライバＹ100は、所定数（図では６０個）のフリップフロップを有したシフトレジスタ回路（図示せず）を内蔵したＣＯＭドライバで構成されている。即ち、くし歯駆動対応のＣＯＭドライバＹ100は６０個のシフトレジスタ出力Ｏ1〜Ｏ60を有している。
【００４９】
また、くし歯駆動対応のＣＯＭドライバＹ100は、外部よりドライバ駆動用の基本となる第１のクロックである外部YSCLを入力し、この外部YSCLを２分周して間引き駆動用の第２のクロックである内部XINHを生成する分周回路１を内蔵している。
【００５０】
さらに、くし歯駆動対応のＣＯＭドライバＹ100には、一方の入力端ａに前記分周回路１から出力されるくし歯駆動時用の内部XINH〔外部YSCLを２分周したクロックで、ハイレベル（Ｈ）とローレベル（Ｌ）が同時間のデューティ５０％の信号〕を入力し、もう一方の入力端ｂに連続駆動時用の内部XINHとして常時ハイレベル（Ｈ）の信号を入力し、くし歯駆動時用の内部XINHと連続駆動時用の内部XINHとを切換制御信号を用いて切り換えて出力する切換回路６と、外部YSCLと前記切換回路６からの内部XINHとを入力し、これら２つの入力に基づいて、切換制御信号で指示される‘くし歯駆動’指示又は‘連続駆動’指示に応じた内部YSCLを生成するための変換回路７とが設けられている。
【００５１】
図７は、上記変換回路７の構成例を示すものである。
【００５２】
変換回路７は、外部より入力されるドライバ駆動用の基本となる外部YSCLと、切換回路６から出力される内部XINHとを、アンドゲート回路８に入力して論理演算を行うことで、指示される駆動方法に応じてくし歯駆動用又は連続駆動用に必要な内部YSCLに変換する（図８及び図９の内部YSCL参照）。
【００５３】
このような構成によれば、簡単な回路、例えば切換回路６と変換回路としてのアンドゲート回路８を付加してやるだけで、くし歯駆動と連続駆動を選択することが可能となる。
【００５４】
図８は図６におけるくし歯駆動選択時のＣＯＭドライバＹ100の各種信号のタイミングチャートを示し、図９は連続駆動選択時のＣＯＭドライバＹ100の各種信号のタイミングチャートを示している。
【００５５】
図８には、第１のクロックである外部YSCLと、外部YSCLを２分周して生成される間引き駆動用の第２のクロックである内部XINHと、外部YSCLと内部XINHのアンド（論理積）をとることによって、外部YSCLのクロックを１つ置きに間引いた形に生成される内部YSCLと、この内部YSCLに同期してＬＣＤの６０個の各コモン電極にそれぞれ供給される走査データCOM1，COM2，…COM59，COM60と、のくし歯駆動選択時のタイミング関係が示されている。
【００５６】
図９には、第１のクロックである外部YSCLと、連続駆動用に設定されたハイレベル（Ｈ）を維持する内部XINHと、外部YSCLと内部XINHのアンド（論理積）をとることによって生成される、外部YSCLのクロックと同等な内部YSCLと、この内部YSCLに同期してＬＣＤの６０個の各コモン電極にそれぞれ供給される走査データCOM1，COM2，…COM59，COM60と、の連続駆動選択時のタイミング関係が示されている。
【００５７】
本発明は、以上述べた実施の形態に限るものではなく、本発明の要旨を変えない範囲で各実施の形態を適宜変更して実施することができる。
【００５８】
【発明の効果】
以上述べたように本発明によれば、くし歯駆動対応のＣＯＭドライバを複数段カスケード接続して使用する際に、２段目以降のＣＯＭドライバも正常に動作させることが可能となる。その結果、複数のくし歯駆動対応のＣＯＭドライバをカスケード接続して使用する際の電力消費も低減することができる。
【図面の簡単な説明】
【図１】本発明の一実施の形態の液晶駆動用ドライバを示すブロック図。
【図２】図１における変換回路２の構成例を示す論理回路図。
【図３】図１における初段のくし歯駆動対応のＣＯＭドライバＹ10の各種信号のタイミングチャート。
【図４】後段のくし歯駆動対応のＣＯＭドライバＹ10の各種信号のタイミングチャート。
【図５】本発明の他の実施の形態の液晶駆動用ドライバを示すブロック図。
【図６】本発明に係るくし歯駆動と連続駆動が選択可能な液晶駆動用ドライバを示すブロック図。
【図７】図６における変換回路７の構成例を示す論理回路図。
【図８】図６におけるくし歯駆動選択時のＣＯＭドライバＹ100の各種信号のタイミングチャート。
【図９】連続駆動選択時のＣＯＭドライバＹ100の各種信号のタイミングチャート。
【図１０】ＬＣＤパネルの駆動方法の一例を説明する図。
【図１１】ＬＣＤパネルのくし歯駆動方法を説明する図。
【図１２】くし歯駆動対応のＣＯＭドライバＹ1，Ｙ2をカスケード説明して駆動する方法を説明する図。
【図１３】くし歯駆動対応のＣＯＭドライバＹ1，Ｙ2をカスケード接続した状態を示すブロック図。
【図１４】初段のＣＯＭドライバＹ1の入出力データ，クロック信号及びシフトレジスタ出力Ｏ1〜Ｏ60を示すタイミングチャート。
【図１５】２段目のＣＯＭドライバＹ2の入出力データ，クロック信号及びシフトレジスタ出力Ｏ1’〜Ｏ60’を示すタイミングチャート。
【符号の説明】
１…分周回路
２…変換回路
Ｙ10，Ｙ20，Ｙ20’，Ｙ30…くし歯駆動対応ドライバ
【図１】
2004198927.tif 000003
【図２】
2004198927.tif 000004
【図３】
2004198927.tif 000005
【図４】
2004198927.tif 000006
【図５】
2004198927.tif 000007
【図６】
2004198927.tif 000008
【図７】
2004198927.tif 000009
【図８】
2004198927.tif 000010
【図９】
2004198927.tif 000011
【図１０】
2004198927.tif 000012
【図１１】
2004198927.tif 000013
【図１２】
2004198927.tif 000014
【図１３】
2004198927.tif 000015
【図１４】
2004198927.tif 000016
【図１５】
2004198927.tif 000017